(57)【要約】      （修正有）【課題】墨出し線を一人で精確に且つ素早く引くことが出来る巾木設置墨出し線引き具を提供する。【解決手段】把手１を備えた本体２の上部位置に、壁面Ａに巾木設置墨出し線Ｂを引くための筆記具３を突設し、本体２の下部位置には床面Ｃに当接する脚部４を設けて構成され、脚部４を床面Ｃに当接させ且つ筆記具３を壁面Ａに接触させた状態で本体２を壁面Ａに沿って移動させることにより壁面Ａに巾木設置墨出し線を引く、筆記具３を壁面に接触させた状態において本体と壁面との間に、壁面に突出した突起物を乗り越えられる空間部５を形成し、本体に壁面上を転動する転動輪２０を１個以上設け、脚部には床面上を転動するキャスター１０を設け、筆記具を本体に着脱交換自在に設け、筆記具を本体に対して高さ調節自在に設け、キャスターを脚部に対して高さ調節自在に設ける。【選択図】図２
0003111461.tif 000002
【実用新案登録請求の範囲】
【請求項１】
把手を備えた本体の上部位置に、壁面に巾木設置墨出し線を引くための筆記具を突設し、該本体の下部位置には床面に当接する脚部を設けて構成され、上記脚部を床面に当接させ且つ前記筆記具を壁面に接触させた状態で前記本体を壁面に沿って移動させることにより壁面に巾木設置墨出し線を引くものであることを特徴とする巾木設置墨出し線引き具。
【請求項２】
前記筆記具を壁面に接触させた状態において前記本体と壁面との間に、当該壁面に突出した突起物を乗り越えられる空間部を形成してなる請求項１に記載の巾木設置墨出し線引き具。
【請求項３】
前記本体に、前記筆記具を壁面に接触させた状態において壁面上を転動する転動輪が１個以上設けられている請求項１又は２に記載巾木設置墨出し線引き具。
【請求項４】
前記脚部に、床面上を転動するキャスターが設けられている請求項１〜３のいずれか１項に記載の巾木設置墨出し線引き具。
【請求項５】
前記筆記具が前記本体に着脱交換自在に設けられている請求項１〜４のいずれか１項に記載の巾木設置墨出し線引き具。
【請求項６】
前記筆記具が前記本体に対して高さ調節自在に設けられている請求項１〜５のいずれか１項に記載の巾木設置墨出し線引き具。
【請求項７】
前記キャスターが前記脚部に対して高さ調節自在に設けられている請求項１〜６のいずれか１項に記載の巾木設置墨出し線引き具。
【考案の詳細な説明】
【技術分野】
【０００１】
本考案は、廊下・居室など建物の内部において、壁面の意匠・デザイン性（外観）の向上を図ると共に汚れを防止し同時に車椅子やストレッチャーなどの接触による壁面の保護を図ることを目的として設置される腰壁や巾木等を設置する際に、壁面に墨出し線を引くための巾木設置墨出し線引き具に関するものである。
【背景技術】
【０００２】
壁面に腰壁や巾木を設置する場合に、床面からの高さを計測して墨出し線を引くと、床面との間に１ｍｍ〜１０ｍｍほどの隙間が発生することがある。これは、床面が不陸になっていることに起因し、例えば不陸の一番低いところで計測した点と不陸の一番高いところで計測した点とを結ぶ直線を墨出し線とした場合などに顕著に発生する。
しかも、壁面からコンセントや給水管等の突起物が突出していると、幅が狭い巾木の場合なら巾木定規やデバイダーを使用して床面の不陸に沿った墨出し線を引くことができるが、比較的幅広の巾木を設置する場合には上記突起物が邪魔になって、床面の不陸に沿った墨出し線を引くことが難しかった。
なお、本願出願人が知っている上記の先行技術は、文献公知考案に係るものではないため、本願明細書には先行技術文献情報を開示しない。
【考案の開示】
【考案が解決しようとする課題】
【０００３】
本考案はこのような現状に鑑みてなされたものであり、比較的幅広の巾木を設置する場合であっても、床面の不陸に沿った墨出し線を一人で精確に且つ素早く引くことが出来る巾木設置墨出し線引き具を提供せんとするものである。
【課題を解決するための手段】
【０００４】
斯かる目的を達成する本考案の巾木設置墨出し線引き具は、把手を備えた本体の上部位置に、壁面に巾木設置墨出し線を引くための筆記具を突設し、該本体の下部位置には床面に当接する脚部を設けて構成され、上記脚部を床面に当接させ且つ前記筆記具を壁面に接触させた状態で前記本体を壁面に沿って移動させることにより壁面に巾木設置墨出し線を引くことを特徴としたものである(請求項１)。
この際、前記筆記具を壁面に接触させた状態において前記本体と壁面との間に、壁面に突出した突起物を乗り越えられる空間部を形成すること(請求項２)が好ましく、そして前記本体に、前記筆記具を壁面に接触させた状態において壁面上を転動する転動輪を１個以上設けたり(請求項３)、前記脚部に、床面上を転動するキャスターを設けること(請求項４)が好ましく、更には前記筆記具を前記本体に着脱交換自在に設けたり(請求項５)、前記筆記具を前記本体に対して高さ調節自在に設けたり(請求項６)、前記キャスターを前記脚部に対して高さ調節自在に設けること(請求項７)、がより好ましい。
【考案の効果】
【０００５】
本考案に係る巾木設置墨出し線引き具によれば、把手を備えた本体の上部位置に、壁面に巾木設置墨出し線を引くための筆記具を突設し、本体の下部位置には床面に当接する脚部を設けてなるので、上記脚部を床面に当接させ且つ前記筆記具を壁面に接触させた状態で前記本体を壁面に沿って移動させることにより、床面の不陸に沿った墨出し線を一人で精確に且つ素早く引くことが出来る。
【０００６】
また、特に本考案請求項２に記載の巾木設置墨出し線引き具によれば、筆記具を壁面に接触させた状態において前記本体と壁面との間に、壁面に突出した突起物を乗り越えられる空間部を形成してなるので、壁面に突起物が突出していても容易に墨出し線を引くことが出来る。すなわち、比較的幅広の巾木を設置する場合であっても、墨出し線を一人で素早く容易に引くことが可能となる。
【０００７】
また、本考案の請求項３に記載の巾木設置墨出し線引き具によれば、本体に、筆記具を壁面に接触させた状態において壁面上を転動する転動輪を１個以上設けてなるので、本体を壁面に沿って移動させやすくなるだけでなく、壁面(の下地)を傷つける心配がない。
【０００８】
また、特に本考案請求項４に記載の巾木設置墨出し線引き具によれば、脚部に、床面上を転動するキャスターを設けてなるので、本体を床面の不陸に沿ってスムーズに移動させやすくなり、墨出し線を容易に且つ精確に引くことが出来る。この際、前記キャスターをできるだけ壁面に近く設けることにより、一層のこと精確な墨出し線を引きやすくなる。
【０００９】
また、本考案請求項５に記載の巾木設置墨出し線引き具によれば、筆記具を本体に着脱交換自在に設けてなるので、筆記具が消耗ないし損傷した場合でも容易に交換して継続して使用することが出来る。
【００１０】
また、特に本考案請求項６に記載の巾木設置墨出し線引き具によれば、筆記具を本体に対して高さ調節自在に設けてなるので、各種の幅の巾木に容易に対応することが可能となる。
【００１１】
また、特に本考案請求項７に記載の巾木設置墨出し線引き具によれば、キャスターを脚部に対して高さ調節自在に設けなるので、各種の幅の巾木に容易に対応することが可能となる。
【考案を実施するための最良の形態】
【００１２】
以下、本考案の具体的な好適実施の態様を、図面を参照しながら詳細に説明するが、本考案は図示実施例のものに限定されるものではなく、いろいろなバリエーションが考えられる。
なお、全図面と各実施例を通して同様の構成部材には同じ符号を付して、重複する説明は省略する。
【００１３】
図１は本考案に係る巾木設置墨出し線引き具の基本的形態からなる第１実施例を示し、把手１を備えた本体２の上部位置に、壁面Ａに巾木設置墨出し線（以下、単に墨出し線という。）Ｂを引くための筆記具３が突設され、本体２の下部位置には床面Ｃに当接する脚部４を設けて構成されている。
【００１４】
本体２は、木材、プラスチックス、金属材等を用いて所要の形状に形成され、その上部位置に、壁面Ａに墨出し線Ｂを引くための筆記具３を突設し、下部位置には床面Ｃに当接する脚部４を設ける。
更に本体２には、筆記具３を壁面Ａに接触させた状態において、本体２と壁面Ａとの間に、壁面Ａに突出したコンセントＤや配管Ｅ等の突起物を乗り越えられる程度の空間部５ができるように形成されると共に、筆記具３を壁面Ａに接触させた状態において壁面Ａ上を転動する転動輪２０を１個以上、好ましくは上下に２個設ける。
【００１５】
なお、図２及び図４に示した実施例の転動輪２０に変えて、図１に示した実施例のごとく、例えば滑りやすいプラスチック製の滑り部材２５を設けても良い。この様な滑り部材２５を使用すれば、転動輪２０を使用した場合と同様、墨出し線を引きやすくなると同時に壁面を傷つける恐れもなくなる。
【００１６】
墨出し線の線引き作業を行なう時に利用される把手１は、握りやすい形状に形成され、図１及び図２に示した第１，第２実施例の如く本体２と同一体に形成しても良いし、図４に示した第３実施例の如く別体に形成して後加工で組付けるようにしても良い。
【００１７】
また、把手１は、中腰ないし普通に立った状態で墨出し線の線引き作業を行なうことができるように、図１に示した第１実施例の如く所要の長さに長く形成しても良いし、或いは図２及び図４に示した第２，第３施例の如く把手１に延長用の把手１’を一体的又は着脱可能に取り付けるようにしても良い。ちなみに、図４に示した第３実施例の把手１は、本体２に連結ネジ２１でもって当該連結ネジ２１を中心にして揺動可能に取り付けられている。いずれにしても、把手１は握って墨出し作業がしやすい形状に形成される。
【００１８】
次に、本考案に適用可能な筆記具３としては、鉛筆，シャープペンシル，ボールペン等を好適に使用し得る。その中でも、鉛筆及びシャープペンシルが好ましい。寸法違いで誤って墨出し線を引いてしまった場合に、容易に消去できるからである。
【００１９】
また、筆記具３は、本体２に対して着脱交換自在に設けると共に、本体２に対して高さ調節自在に設けることが好ましい。
筆記具３を本体２に着脱交換自在とする構成としてはいろいろ考えられるが、図１に示した第１実施例のものは、本体２に筆記具３を装着するための装着穴６を開口形成し、その装着穴６に筆記具３を着脱交換自在に装着したものである。そして、図２に示した第２実施例及び図４に示した第３実施例のものは、本体２に開口形成した装着穴６に筆記具３を着脱交換自在に装着すると共に、筆記具３が不用意に脱落することがないように固定用ネジ７でもって固定するように構成したものである。この第２実施例の場合、装着穴６内に筆記具３を押し出す方向に付勢する弾発ばね８を組込んでおけば、筆記具３の繰り出し操作が容易となる。
【００２０】
また、筆記具３を本体２に対して高さ調節自在とする構成もいろいろと考えられるが、図４に示した第３実施例のものは、筆記具３を直接装着するホルダー２２を本体２に上下方向にスライド自由に組み込むことにより、筆記具３を本体２に対して高さ調節自在としたものである。なお、図中の符号２３は高さの目安となる目盛を示す。
【００２１】
そして、本体２の下部位置に設けられる脚部４は、筆記具３を壁面Ａに沿って移動させる時に、床面Ｃに当接させることにより筆記具３の高さ位置、すなわち墨出し線Ｂを床面Ｃの不陸に沿って引けるようにするためのものであり、本体２と一体若しくは別体に形成される。
【００２２】
ここで、脚部４は、本体２ひいては筆記具３を床面Ｃの不陸に沿ってスムーズに移動できるように、図１に示した第１実施例のごとくその先端部分に滑りやすいプラスチック製の突子９を設けるか、或いは図２及び図４に示した第２，第３実施例のごとく床面Ｃ上を転動する小型のキャスター１０を設けることが好ましい。
この際キャスター１０は、その輪径が小径であるほど床面Ｃの不陸を忠実に拾うことが可能となる。また、前記突子９及びキャスター１０はできるだけ壁面に近く設けることにより、精確な墨出し線を引きやすくなる。
【００２３】
また、突子９及びキャスター１０は、各種の幅の巾木に容易に対応することができるように、脚部４に対して高さ調節自在に設けることが好ましい。突子９及びキャスター１０を脚部４に対して高さ調節自在とする構成としてはいろいろ考えられるが、図１に示した第１実施例のものは脚部４の基部外周に雄ネジ４’を刻設し本体２に対して螺動可能に捩じ込み取り付けることにより高さ調節自在としたものであり、図２に示した第２実施例のものは、キャスター１０を本体脚部４に取り付けるための取付け杆１１の外周に雄ネジを刻設し、その取付け杆１１を脚部４に上下方向に移動自在に貫挿通させ、脚部４の上下から２個のナット１２でもって締め付け固定することにより、キャスター１０を脚部４に対して高さ調節自在に取り付けたものである。
【００２４】
而して、墨出し線Ｂを引く場合には、本体２の把手１を持ち、脚部４（の突子９或いはキャスター１０）を床面Ｃに当接させ且つ筆記具３（及び転動輪２０、滑り部材２５）を壁面Ａに接触させた状態でもって本体２を壁面Ａに沿って移動させることにより、壁面Ａに床面Ｃの不陸に沿った墨出し線Ｂを引くことができる。
【図面の簡単な説明】
【００２５】
【図１】本考案の第１実施例を示す正面図。
【図２】本考案の第２実施例を示す一部切欠正面図。
【図３】本考案の第２実施例における使用状態を説明する斜視図。
【図４】本考案の第３実施例を示す正面図。
【符号の説明】
【００２６】
Ａ：壁面                Ｂ：巾木設置墨出し線
Ｃ：床面                Ｄ：コンセント
Ｅ：配管                １’：延長用把手
１：把手                ２：本体
３：筆記具              ４：脚部
５：空間部              ６：装着穴
７：固定用ネジ          ８：弾発ばね
９：突子                １０：キャスター
１１：取付け杆          １２：ナット
２０：転動輪            ２１：連結ネジ
２２：ホルダー          ２３：目盛
２５：滑り部材
【図１】
0003111461.tif 000003
【図２】
0003111461.tif 000004
【図３】
0003111461.tif 000005
【図４】
0003111461.tif 000006